(57)【要約】【課題】インターナルアンテナの共振周波数を容易にマッチングでき、望みの周波数特性を持つインターナルアンテナを容易に設計、製造することによって、インターナルアンテナの性能を安定的に維持しながら生産性を増大することができる無線ハンドセットのインターナルアンテナ及びその設計方法を提供する。【解決手段】インターナルアンテナのスロットラインに少なくとも一つ以上の誘導性素子及び／または容量性素子（Ｌ／Ｃ素子）を装着して、望ましくは、Ｌ／Ｃ素子の装着位置を上記スロットラインに沿って移動させ、または一定のＬ／Ｃ値を持つＬ／Ｃ素子を着脱することによって共振周波数をマッチングすることを特徴とする。【選択図】図１
2007523558.tif 000002
【特許請求の範囲】
【請求項１】
インターナルアンテナのスロットラインに少なくとも一つ以上の誘導性素子及び／または容量性素子を装着してアンテナの共振周波数をマッチングすることを特徴とする、無線ハンドセットのインターナルアンテナ。
【請求項２】
上記誘導性素子及び／または容量性素子の装着位置を上記スロットラインに沿って移動させることによって共振周波数をマッチングすることを特徴とする第１項に記載の、無線ハンドセットのインターナルアンテナ。
【請求項３】
一定のインダクタンスまたはキャパシタンス値を持つ誘導性素子及び／または容量性素子を着脱することによって共振周波数をマッチングすることを特徴とする第１項または第２項に記載の、ハンドセットのインターナルアンテナ。
【請求項４】
インターナルアンテナのスロットラインに少なくとも一つ以上の誘導性素子及び／または容量性素子を装着してアンテナの共振周波数をマッチングすることを特徴とする、無線ハンドセットのインターナルアンテナの設計方法。
【請求項５】
上記誘導性素子及び／または容量性素子の装着位置を上記スロットラインに沿って移動させることによって共振周波数をマッチングすることを特徴とする第４項に記載の、無線ハンドセットのインターナルアンテナの設計方法。
【請求項６】
一定のインダクタンスまたはキャパシタンス値を持つ誘導性素子及び／または容量性素子を着脱することによって共振周波数をマッチングすることを特徴とする第４項または第５項に記載の、無線ハンドセットのインターナルアンテナの設計方法。
【発明の詳細な説明】
【技術分野】
【０００１】
本発明は無線ハンドセット用のインターナルアンテナに係り、特に、インターナルアンテナのスロットラインに誘導性素子（ＩＮＤＵＣＴＯＲ）及び／または容量性素子（ＣＡＰＡＣＩＴＯＲ）（以下、"Ｌ／Ｃ素子"と称する）を装着し、上記Ｌ／Ｃ素子の装着位置を上記スロットラインに沿って移動し、または所定のＬ／Ｃ値を持つＬ／Ｃ素子を着脱することによって共振周波数を容易にマッチングできるようにする、無線ハンドセット用のインターナルアンテナ及びその設計方法に関するものである。  
【背景技術】
【０００２】
近年、携帯電話、ＰＤＡ、無線ノートブックコンピュータのような携帯用ハンドセットの使用が普及するにつれて、消費者の、多様な機能とデザインの端末機に対する要求が高まっている。したがって、このような携帯用無線端末機が順次小型化、軽量化、単純化（軽薄短小化）されるだけでなく、その機能の多様性と共にデザインの重要性がより一層強調されている。
【０００３】
このような消費者の要求に応じるにあたって、無線ハンドセットの場合、アンテナはハンドセット本体にとり必須であり、そのデザインは非常に重要である。
【０００４】
アンテナは無線ハンドセット本体の一側に設置されて、外部の無線局と無線ハンドセットの無線信号送受信に際して、媒体として機能するものであるから、その性能を高めるために固定型、伸縮型、搭載型、回転型、スナップイン型などの多様な形態が開発され、使われている。  
【０００５】
特に、機能の多様性と共にデザインの重要性が強調されるにつれて、ハンドセット本体の外部に突出することなく本体内部に全部内蔵するように構成した内蔵型アンテナ（以下“インターナルアンテナ”と言う）が開発されて無線ハンドセットに適用されている。
【０００６】
インターナルアンテナはハンドセット本体内部に設置され、メーンボードに電気的に接続されて、アンテナ固有の機能を遂行する。既存の突出型または外付け型アンテナと比較すると、相対的にその設計及び製造が容易でない。
【０００７】
特に、インターナルアンテナの場合アンテナ本体が全部ハンドセット本体内部に設置されているので、組立時の周波数特性と本体を完全に密閉した完成品状態での周波数特性を一定に維持することが非常に困難である。  
【０００８】
したがって、インターナルアンテナの生産性を向上させるにあたって、共振周波数をマッチングさせる作業がこれを阻害する問題点になってきた。
【発明の開示】
【発明が解決しようとする課題】
【０００９】
したがって本発明は、無線ハンドセットのインターナルアンテナ及びその設計方法における従来技術の限界と欠点に起因する上記の問題点を解決することを指向する。
【００１０】
本発明の目的は、インターナルアンテナの共振周波数を容易にマッチングできる無線ハンドセットのインターナルアンテナ及びその設計方法を提供することにある。
【００１１】
また、本発明の他の目的は、望みの周波数特性を持つインターナルアンテナを容易に設計、製造することによって、インターナルアンテナの性能を安定的に維持しながら生産性を増大することができる無線ハンドセットのインターナルアンテナ及びその設計方法を提供することにある。
【課題を解決するための手段】
【００１２】
上記本発明の目的に調和して様々な利点を達成するためになされた本発明によるは無線ハンドセットのインターナルアンテナは、以下の実施例において広範に記述するように、インターナルアンテナのスロットラインに少なくとも一つ以上の誘導性素子及び／または容量性素子を装着してアンテナの共振周波数をマッチングすることを特徴とする。
上記誘導性素子及び／または容量性素子の装着位置を上記スロットラインに沿って移動させることによって共振周波数をマッチングすることが望ましく、または、一定のインダクタンスまたはキャパシタンス値を持つ誘導性素子及び／または容量性素子を着脱することによって共振周波数をマッチングする形態で提供されていることが望ましい。
【００１３】
また、本発明の他の様相によるは無線ハンドセットのインターナルアンテナの設計方法は、インターナルアンテナのスロットラインに少なくとも一つ以上の誘導性素子及び／または容量性素子を装着してアンテナの共振周波数をマッチングすることを特徴とする。
上記誘導性素子及び／または容量性素子の装着位置を上記スロットラインに沿って移動させることによって共振周波数をマッチングすることが望ましく、または、一定のインダクタンスまたはキャパシタンス値を持つ誘導性素子及び／または容量性素子を着脱することによって共振周波数をマッチングする形態で提供されていることが望ましい。
【発明の効果】
【００１４】
本発明によれば、インターナルアンテナのスロットラインにＬ／Ｃ素子を装着し、上記Ｌ／Ｃ素子の装着位置を上記スロットラインに沿って移動させることにより、共振周波数を容易にマッチングできるので、望みの周波数特性を持つインターナルアンテナを容易に設計、製造することができ、インターナルアンテナの性能を安定的に維持しながら生産性を増大することができるという効果がある。
【発明を実施するための最良の形態】
【００１５】
以下、本発明の望ましい実施例を添付した図面を参照して詳細に説明する。
なお、各図面の構成要素に参照符号を付加するにあって、同じ構成要素に限ってはたとえ他の図面上に表示されても可能なかぎり同じ符号を持つようにしていることに留意しなければならない。そして本発明の要旨をかえって散漫にしてしまうと判断される公知機能及び構成に対する詳細な説明は省略する。
【実施例１】
【００１６】
図１は本発明の第１の実施例にともなう無線ハンドセットのインターナルアンテナ及びその設計方法を示した図面である。
図１に示すように、インターナルアンテナ１００は平板形態のアンテナ本体１１０を含み、アンテナ本体１１０はスロット１２０によって形成された所定形態の蛇行ライン（Ｍｅａｎｄｅｒ  Ｌｉｎｅ）を備える。
【００１７】
上記インターナルアンテナ１００は、一般的な方法と同じように上記スロット１２０を利用して上記アンテナ本体１１０の蛇行ラインの長さと幅を調整することによって共振周波数を調整する。その微調整のために、誘導性素子及び／または容量性素子（以下、Ｌ／Ｃ素子という）１３０が上記スロット１２０に沿って装着されている。
【００１８】
特に、本発明にともなう上記インターナルアンテナ１００はそのインダクタンス（Ｌ）またはキャパシタンス（Ｃ）値を選択できるＬ／Ｃ素子１３０を備えているので、上記スロット１２０及び上記アンテナ本体１１０パターンの制約を受けないで、望みのアンテナ周波数特性を得ることができる。
【００１９】
また、上記Ｌ／Ｃ素子１３０の位置を上記スロット１２０に沿って移動、調整することによってアンテナの共振周波数を容易にマッチングできる。
【００２０】
以下、実施例による発明にともなう無線ハンドセットのインターナルアンテナ及びその設計方法を、様々な変形例を通じて詳細に説明する。
【実施例２】
【００２１】
（１）Ｌ／Ｃ素子をスロットに沿って移動した場合の特性測定  
図２はＬ／Ｃ素子の位置にともなうインターナルアンテナの特性を測定するためのＬ／Ｃ素子の測定位置を示した図面で、図３ないし図７は図２に示した位置にＬ／Ｃ素子を移動して各々測定した定在波比（ＳＷＲ）図である。
【００２２】
実験方法としては、Ｌ／Ｃ素子としてＬ＝１ｎＨ値を持つ誘導性素子を用いて、図２に示したようにスロットに沿って与えられた５つのポイントにＬ／Ｃ素子を装着してインターナルアンテナの定在波比（ＳＷＲ  ：  Ｓｔａｎｄｉｎｇ  Ｗａｖｅ  Ｒａｔｉｏ）を測定した。
【００２３】
図３、図４、図５、図６及び図７はＬ／Ｃ素子がポイント１、２、３、４、及び５に各々位置した場合、測定されたインターナルアンテナの定在波比を示す。
【００２４】
図３ないし図７に示す通り、Ｌ／Ｃ素子の位置を変更することにより共振周波数の調整が容易にでき、各共振周波数での帯域幅調整が容易なだけでなく、共振周波数の個数を調整することができる。
【実施例３】
【００２５】
（２）スロットの同一位置でＬ／Ｃ素子値を変化した場合の特性測定
図８はＬ／Ｃ素子のＬ及び／またはＣ値の変化にともなうインターナルアンテナの特性を測定するためのＬ／Ｃ素子の測定位置を示した図面で、図９ないし図１６は図８の測定位置に装着したＬ／Ｃ素子のＬ及び／またはＣ値を変化させて各々測定した定在波比を示す。
【００２６】
実験方法としては、図８のポイント１にＬ／Ｃ素子を装着しない場合と、異なるインダクタンス（Ｌ）及び／又はキャパシタンス（Ｃ）値を有するＬ／Ｃ素子を各々装着してインターナルアンテナの定在波比を測定した。
【００２７】
図９ないし図１２はＬ／Ｃ素子を装着しない場合と、各々Ｌ＝１ｎＨ、１０ｎＨ、２２ｎＨである誘導性素子を装着した場合、インターナルアンテナの定在波比を示す。
【００２８】
また、図１３ないし図１６はＬ／Ｃ素子を装着しない場合と、各々Ｃ＝０．５ｐＦ、２ｐＦ、４ｐＦである容量性素子を装着した場合、インターナルアンテナの定在波比を示す。
【００２９】
図９ないし図１２と、図１３ないし図１６に示すように、Ｌ／Ｃ素子値を変更することによって１ＧＨｚ以上の周波数で共振周波数の調整が容易にでき、共振周波数での帯域幅調整が容易なだけでなく共振周波数の個数を調整することができる。
【実施例４】
【００３０】
（３）スロットに複数個のＬ／Ｃ素子を装着した場合の特性測定
図１７は複数のＬ／Ｃ素子を付着して、その素子のＬ及び／またはＣ値の変化にともなうインターナルアンテナの特性を測定するためのＬ／Ｃ素子の測定位置を示した図面で、図１８ないし図２０は図１７の測定位置に装着したＬ／Ｃ素子値を変化させて各々測定した定在波比を示す。
【００３１】
実験方法としては、図１７のスロットに二つのＬ／Ｃ素子を付着して、ポイント１の誘導性素子値をＬ＝１ｎＨ及び２２ｎＨとし、ポイント２の容量性素子値をＣ＝１ｐＦとして測定した。
【００３２】
図１８はポイント１にだけＬ／Ｃ素子を付着した場合で、図１９はポイント１にはＬ＝１ｎＨで、ポイント２にはＣ＝１ｐＦ値を持つＬ／Ｃ素子を各々付着した場合であり、図２０はポイント１にはＬ＝２２ｎＨで、ポイント２にはＣ＝１ｐＦ値を持つＬ／Ｃ素子を各々付着した場合、インターナルアンテナの定在波比を示す。
【００３３】
図１８ないし図２０に示す通り、複数のＬ／Ｃ素子を付着してその素子値を変更することによって共振周波数の調整が容易にでき、各共振周波数での帯域幅調整が容易なだけでなく、一定の帯域幅における共振周波数の個数を調整することができる。
【産業上の利用可能性】
【００３４】
以上詳述した通り、本発明にともなう無線ハンドセットのインターナルアンテナ及びその設計方法は、インターナルアンテナの共振周波数マッチングを容易にすることによって望みの周波数特性を持つインターナルアンテナを容易に設計、製造することはもちろん、インターナルアンテナの性能を安定的に維持しながら生産性を増大させることができるようにする。
【００３５】
以上の本発明の詳細な説明では具体的な望ましい実施例について本発明を説明したが、本発明の精神とスコープから抜け出さない限度内でいろいろな変更と変形がもちろん可能であることは当業者には明らかであろう。したがって本発明の範囲は、説明された実施例に限定されず、別紙の特許請求の範囲だけでなくこの特許請求の範囲と均等なもののスコープに入るすべての変更、変形を含むものとされる。
【図面の簡単な説明】
【００３６】
【図１】本発明の第１の実施例にともなう無線ハンドセットのインターナルアンテナ及びその設計方法を示した図面である。
【図２】Ｌ／Ｃ素子の位置にともなうインターナルアンテナの特性を測定するための、Ｌ／Ｃ素子の測定位置を示した図面である。
【図３】図２に示した位置（ポイント１）にＬ／Ｃ素子を移動して測定した定在波比図である。
【図４】図２に示した位置（ポイント２）にＬ／Ｃ素子を移動して測定した定在波比図である。
【図５】図２に示した位置（ポイント３）にＬ／Ｃ素子を移動して測定した定在波比図である。
【図６】図２に示した位置（ポイント４）にＬ／Ｃ素子を移動して測定した定在波比図である。
【図７】図２に示した位置（ポイント５）にＬ／Ｃ素子を移動して測定した定在波比図である。
【図８】Ｌ／Ｃ素子のＬ及び／またはＣ値の変化にともなうインターナルアンテナの特性を測定するための、Ｌ／Ｃ素子の測定位置を示した図面である。
【図９】図８の測定位置にＬ／Ｃ素子を装着しない場合に測定した定在波比図である。
【図１０】図８の測定位置にＬ＝１ｎＨのＬ／Ｃ素子を装着して測定した定在波比図である。
【図１１】図８の測定位置にＬ＝１０ｎＨのＬ／Ｃ素子を装着して測定した定在波比図である。
【図１２】図８の測定位置にＬ＝２２ｎＨのＬ／Ｃ素子を装着して測定した定在波比図である。
【図１３】図８の測定位置にＬ／Ｃ素子を装着しない場合に測定した定在波比図である。
【図１４】図８の測定位置にＣ＝０．５ｐＦのＬ／Ｃ素子を装着して測定した定在波比図である。
【図１５】図８の測定位置にＣ＝２ｐＦのＬ／Ｃ素子を装着して測定した定在波比図である。
【図１６】図８の測定位置にＣ＝４ｐＦのＬ／Ｃ素子を装着して測定した定在波比図である。
【図１７】複数のＬ／Ｃ素子を付着して、その素子のＬ及び／またはＣ値の変化にともなうインターナルアンテナの特性を測定するための、Ｌ／Ｃ素子の測定位置を示した図面である。
【図１８】図１７の測定位置（ポイント１）にＬ＝１ｎＨのＬ／Ｃ素子を装着して測定した定在波比図である。
【図１９】図１７の測定位置（ポイント１）にＬ＝１ｎＨのＬ／Ｃ素子を装着し、測定位置（ポイント２）にＣ＝１ｐＦのＬ／Ｃ素子を装着して測定した定在波比図である。
【図２０】図１７の測定位置（ポイント１）にＬ＝２２ｎＨのＬ／Ｃ素子を装着し、測定位置（ポイント２）にＣ＝１ｐＦのＬ／Ｃ素子を装着して測定した定在波比図である。
【符号の説明】
【００３７】
１００    インターナルアンテナ
１１０    アンテナ本体
１２０    スロット
１３０    Ｌ／Ｃ素子
【図１】
2007523558.tif 000003
【図２】
2007523558.tif 000004
【図３】
2007523558.tif 000005
【図４】
2007523558.tif 000006
【図５】
2007523558.tif 000007
【図６】
2007523558.tif 000008
【図７】
2007523558.tif 000009
【図８】
2007523558.tif 000010
【図９】
2007523558.tif 000011
【図１０】
2007523558.tif 000012
【図１１】
2007523558.tif 000013
【図１２】
2007523558.tif 000014
【図１３】
2007523558.tif 000015
【図１４】
2007523558.tif 000016
【図１５】
2007523558.tif 000017
【図１６】
2007523558.tif 000018
【図１７】
2007523558.tif 000019
【図１８】
2007523558.tif 000020
【図１９】
2007523558.tif 000021
【図２０】
2007523558.tif 000022
【国際調査報告】
2007523558.tif 000023
2007523558.tif 000024